(57)【特許請求の範囲】
【請求項１】
センサと、そのセンサの出力を一方の入力とし、しきい値電圧を他方の入力とする比較器と、その比較器へ入力するしきい値電圧を設定するしきい値電圧設定回路とを備えたセンサ検知回路において、
前記比較器の出力に基づいて点灯する表示灯をさらに備え、
前記しきい値電圧設定回路が、しきい値電圧を所定の範囲で調整する可変抵抗器を備えたトリマ回路と、そのトリマ回路により調整されたしきい値電圧をスイッチのオン／オフにより一定の電圧だけシフトさせるシフト回路とを備えたことを特徴とするセンサ検知回路。
【発明の詳細な説明】
【０００１】
【発明の属する技術分野】
本発明は液体クロマトグラフの液漏れセンサのように、液体を流す分析装置においてその液漏れを検出するセンサを初めとして、種々のセンサの検知回路に関するものである。
【０００２】
【従来の技術】
液体クロマトグラフでは、試料を注入するインジェクションバルブから移動相が漏れる可能性があるため、その箇所に液漏れ検知用のセンサを設け、液漏れが生じるとそのセンサにより電圧を発生させて液漏れを検知している。その液漏れセンサからの出力電圧は、しきい値電圧と比較され、センサ出力がしきい値電圧を越えたときに液漏れがあったものと判断されている。
【０００３】
図１はそのような液漏れセンサの検知回路の一例を示したものである。比較器２の非反転入力端子にはセンサ４の出力電圧Ｖsが入力され、比較器２の反転入力端子にはトリマ回路からのしきい値電圧Ｖthが入力される。トリマ回路は、電源６と、その電源６により一定電圧が印加される可変抵抗器８とからなり、その可変抵抗器８の抵抗値を調整することによりしきい値電圧Ｖtが設定される。しきい値電圧Ｖthは、センサ４が液漏れを検知していないときの出力電圧Ｖsに対し、液漏れを検知したときに生ずる電圧上昇を検知するためのマージン電圧Ｖmを加算した
Ｖth＝Ｖs＋Ｖm
となるように設定される。
【０００４】
この検知回路では、液漏れがない正常な状態では比較器２では
Ｖs＜Ｖth
となって、比較器２の出力はローレベルであるが、液漏れが生じるとＶsが上昇してＶth以上になることにより、比較器２の出力がハイレベルに変わり、液漏れが検知される。
【０００５】
図１に示される検知回路のトリマ回路では、正常時のセンサ出力Ｖsを電圧計で測定し、トリマ回路からのＶthを電圧計で測定しながら、ＶthがそのＶsに所定のマージン電圧Ｖmを加算した電圧になるように設定している。
【０００６】
【発明が解決しようとする課題】
図１のようなトリマ回路では、しきい値電圧Ｖthに対してマージン電圧Ｖmを正確に設定するためには電圧計が必要であるため、そのような液漏れセンサなどのセンサが用いられる現場でＶthを調整するには不便である。
そこで、本発明はしきい値電圧Ｖthの設定を電圧計がなくても、容易に手動でできるようにすることを目的とするものである。
【０００７】
【課題を解決するための手段】
本発明は、センサと、そのセンサの出力を一方の入力とし、しきい値電圧を他方の入力とする比較器と、その比較器へ入力するしきい値電圧を設定するしきい値電圧設定回路とを備えたセンサ検知回路において、比較器の出力に基づいて点灯する表示灯をさらに備え、しきい値電圧設定回路が、しきい値電圧を所定の範囲で調整する可変抵抗器を備えたトリマ回路と、そのトリマ回路により調整されたしきい値電圧をスイッチのオン／オフにより一定の電圧Ｖmだけシフトさせるシフト回路とを備えたものである。
【０００８】
しきい値電圧を設定するときは液漏れセンサが液漏れを検知していない正常な状態のときである。このとき、シフト回路により、しきい値電圧を液漏れセンサが液漏れを検知したときに電圧が変化する方向と反対の方向に一定の電圧Ｖmだけシフトさせる。その状態で表示灯が点灯と消灯の境界となるように、トリマ回路の可変抵抗器を調整する。これにより、比較器に与えられるトリマ回路の出力Ｖthが正常時のセンサ出力Ｖsと等しくなる。その後、シフト回路により、上記で一定電圧Ｖmだけシフトさせたのを元に戻す。これで、マージンＶmをもったしきい値電圧Ｖthが設定される。
このように、電圧計を用いなくてもシフト回路のスイッチのオン／オフと表示灯の点灯／消灯の確認により、手動で容易にしきい値電圧を設定することができる。
【０００９】
【実施例】
図２は本発明を液体クロマトグラフの液漏れセンサに適用した一実施例を表わしたものである。
図１の例と同様に、比較器２の非反転入力端子には液漏れセンサ４の出力Ｖsが入力され、比較器２の非反転入力端子にはしきい値電圧設定回路１０から設定されたしきい値Ｖthが入力される。しきい値電圧設定回路１０は、固定抵抗Ｒ１、トリマ回路１４及びシフト回路１６が直列に接続された直列回路と、その直列回路の両端間に電圧を印加する電源１８とを備えて構成されている。
【００１０】
トリマ回路１４は可変抵抗器１４ａとそれに並列に接続されたツェナーダイオード１４ｂとから構成されており、ツェナーダイオード１４ｂにより可変抵抗器１４ａの両端には一定電圧が印加される。トリマ回路１４では、しきい値電圧Ｖthが可変抵抗器１４ａの調整により一定電圧の範囲内で変化させることができる。
【００１１】
シフト回路１６は固定抵抗器Ｒ２とＲ３の並列回路と、固定抵抗器Ｒ３側に挿入されたスイッチ１６ａとから構成されている。
比較器２の出力端子には、比較器２の出力がハイレベルのときに点灯するようにＬＥＤなどの表示灯２０が接続されている。
【００１２】
ここで、Ｒ１＝１.５ＫΩ、Ｒ２＝４３０Ω、Ｒ３＝３３０Ωとし、ツェナーダイオード１４ｂにより３Ｖが印加されるものとし、電源１８として１２Ｖのものを使用するものとする。スイッチ１６ａをオフからオンにすると、シフト回路１６の抵抗値が下がってトリマ回路１４の全位置で出力電圧Ｖthが約１Ｖ低下する。その結果、スイッチ１６ａがオフのときのトリマ回路１４によるＶthの調整範囲は２〜５Ｖであり、スイッチ１６ａがオンのときのトリマ回路１４によるＶthの調整範囲は１〜４Ｖとなる。
【００１３】
次に、この実施例の動作について説明する。
しきい値電圧Ｖthを調整する時は、液漏れのない状態で、スイッチ１６ａをオンにし、トリマ回路１４の可変抵抗器１４ａを調整して、表示灯２０が点灯と消灯の境界になるように調整する。これにより、しきい値電圧ＶthはマージンＶmがゼロの状態（これをセンサ４のゼロ点と呼ぶ）に調整される。
【００１４】
次に、スイッチ１６ａをオフにし、しきい値電圧Ｖthを約１Ｖ上昇させる。これにより、センサ４のゼロ点に約１Ｖのマージン電圧Ｖmを加算したしきい値電圧Ｖthに調整される。
本発明は液体クロマトグラフの液漏れセンサだけでなく、他の分析装置の液漏れセンサや、液漏れセンサ以外でも種々のセンサの比較対象となるしきい値電圧を設定するための回路として適用することができる。
【００１５】
【発明の効果】
本発明では、正常時に、シフト回路により、センサが異常を検知したときに電圧が変化する方向と反対の方向にしきい値電圧を一定の電圧Ｖmだけシフトさせ、表示灯が点灯と消灯の境界となるように、トリマ回路の可変抵抗器を調整して、しきい値電圧を正常時のセンサ出力Ｖsと等しくする。その後、シフト回路により、一定電圧Ｖmだけシフトさせたのを元に戻すことより、マージンＶmをもったしきい値電圧Ｖthを設定するようにしたので、電圧計を用いなくてもシフト回路のスイッチのオン／オフと表示灯の点灯／消灯の確認により、手動で容易にマージン電圧を加味したしきい値電圧を設定することができるようになる。
【図面の簡単な説明】
【図１】従来のセンサ検知回路を示す回路図である。
【図２】一実施例のセンサ検知回路を示す回路図である。
【符号の説明】
２      比較器
４      センサ
１０      しきい値電圧設定回路
１４      トリマ回路
１６      シフト回路
１６ａ    スイッチ
２０      表示灯
【図１】
0003651164.tif 000002
【図２】
0003651164.tif 000003